(57)【特許請求の範囲】
【請求項１】
前軸と後軸とからなる軸筒と、該軸筒の一端と他端との各々に設けられた筆記部と、該軸筒内で軸方向へ配設された二つの中綿と、これら中綿の間を仕切る仕切壁とを備え、各中綿に含浸されたインクを対応する筆記部へ導くようにした両頭中綿式筆記具において、
前記仕切壁は、前記軸筒の内周面との間に該仕切壁の全長にわたる隙間を有するとともに、前記前軸と前記後軸の双方に対し軸方向に当接しないように配置されることで、前記軸筒に対し軸方向の両側へ移動自在となるように設けられ、二つの中綿の端部間に略隙間なく挟まれることで、軸方向の位置が決められ、
前記二つの中綿の外周面と前記軸筒の内周面との間には、空気を有する空間が設けられ、
前記仕切壁を、一方の中綿が挿入される筒部と、該筒部の一端側の壁部とからなり、前記壁部の端面の周囲にＣ面取り状の傾斜部を有する有底筒状に形成し、
前記筒部の内周面に、前記一方の中綿の外周面を押圧するように軸方向へ延設されたリブを、周方向に所定間隔を置いて複数配設し、これら複数のリブ間を前記空間に連通し、
前記壁部における前記一方の中綿の端部との当接面に、径方向へ連続するとともに前記リブ間に連通する通気溝を設け、同壁部における他方の中綿の端部との当接面には、径方向へ連続して前記空間に連通する他の通気溝を設けたことを特徴とする両頭中綿式筆記具。
【発明の詳細な説明】
【技術分野】
【０００１】
本発明は、軸筒内の中綿に含浸されたインクを、軸筒の両端側の筆記部へ導くようにした両頭中綿式筆記具に関するものである。
【背景技術】
【０００２】
従来、この種の筆記具には、特許文献１に記載されたもののように、軸筒の両端に筆記部を備えるとともに、軸筒（４）内には、軸方向へ並ぶ二つの中綿（インク吸蔵体２，２）を備え、これら中綿の間を仕切壁（隔壁７）により仕切り、各中綿に含浸されたインクを対応する筆記部へ導くようにしたものがある。
この筆記具によれば、二つの中綿に異なる色のインクを含浸させておけば、双方の筆記具からそれぞれ異なる色のインクを吐出させることができる上、二つの中綿が仕切壁により仕切られているため、一方の中綿のインクと他方の中綿のインクとが混ざり合ってしまうのを防ぐことができる。
【０００３】
しかしながら、上記従来技術によれば、前記仕切壁（隔壁７）と一体の内筒（７）を軸筒（４）の内周面に密嵌させた構造であるため、該筆記具を組立てる際には、軸筒（４）内に、内筒（７）及び仕切壁（隔壁７）を押し込み、これら内筒（７）及び仕切壁（隔壁７）を位置合わせした後に、各中綿（インク吸蔵体２）を挿入し、更に筆記部を有する先口を嵌合させる必要があった。
したがって、前記構造では、その組立て作業が煩雑であり、特に、仕切壁（隔壁７）を、軸筒（４）の略中央側に位置合わせする作業は困難であり、特別な専用治具を用いた作業を要した。
仮に、この仕切壁（隔壁７）が設定位置に対し軸方向へずれて組付けられた場合には、一方の中綿（インク吸蔵体２）が圧縮されてしまい、インク流出等の製造不良を招くおそれがある。
【特許文献１】実公平３−８４７２号公報
【発明の開示】
【発明が解決しようとする課題】
【０００４】
本発明は上記従来事情に鑑みてなされたものであり、その課題とする処は、軸方向に並ぶ二つの中綿を仕切壁により仕切った構造を有する上で、組立て性に優れた両頭中綿式筆記具を提供することにある。
【課題を解決するための手段】
【０００５】
上記課題を解決するための手段は、前軸と後軸とからなる軸筒と、該軸筒の一端と他端との各々に設けられた筆記部と、該軸筒内で軸方向へ配設された二つの中綿と、これら中綿の間を仕切る仕切壁とを備え、各中綿に含浸されたインクを対応する筆記部へ導くようにした両頭中綿式筆記具において、前記仕切壁は、前記軸筒の内周面との間に該仕切壁の全長にわたる隙間を有するとともに、前記前軸と前記後軸の双方に対し軸方向に当接しないように配置されることで、前記軸筒に対し軸方向の両側へ移動自在となるように設けられ、二つの中綿の端部間に略隙間なく挟まれることで、軸方向の位置が決められ、前記二つの中綿の外周面と前記軸筒の内周面との間には、空気を有する空間が設けられ、前記仕切壁を、一方の中綿が挿入される筒部と、該筒部の一端側の壁部とからなり、前記壁部の端面の周囲にＣ面取り状の傾斜部を有する有底筒状に形成し、前記筒部の内周面に、前記一方の中綿の外周面を押圧するように軸方向へ延設されたリブを、周方向に所定間隔を置いて複数配設し、これら複数のリブ間を前記空間に連通し、前記壁部における前記一方の中綿の端部との当接面に、径方向へ連続するとともに前記リブ間に連通する通気溝を設け、同壁部における他方の中綿の端部との当接面には、径方向へ連続して前記空間に連通する他の通気溝を設けたことを特徴とする。
【発明を実施するための最良の形態】
【０００６】
第一の形態では、前軸と後軸とからなる軸筒と、該軸筒の一端と他端との各々に設けられた筆記部と、該軸筒内で軸方向へ配設された二つの中綿と、これら中綿の間を仕切る仕切壁とを備え、各中綿に含浸されたインクを対応する筆記部へ導くようにした両頭中綿式筆記具において、前記仕切壁は、前記軸筒に対し軸方向へ移動自在となるように形成され、二つの中綿によって軸方向に挟まれるようにして配設されている。
ここで、「前記仕切壁は、前記軸筒に対し軸方向へ移動自在となるように形成され」とは、具体的には、例えば上記仕切壁と上記軸筒の内周面に隙間を設けることで、上記仕切壁を上記軸筒内で軸方向へ移動自在な構成とすればよい。
【０００７】
また、第二の形態では、前軸または後軸は、一方の中綿の一端側が嵌合された状態で、該中綿の他端側を外部に露出させる長さに形成され、仕切壁は、前記一方の中綿の前記他端側を挿入させて嵌合可能な略有底筒状に形成されている。
【０００８】
また、第三の形態では、各中綿に含浸されたインクは、顔料成分を含むインクである。
【０００９】
また、第四の形態は、一端と他端の上記筆記部をそれぞれ覆うとともに上記軸筒に対し着脱可能なキャップを備え、該キャップは、その外周に軸方向へ連続する空気流通溝を有するとともに、該空気流通溝の底面と該キャップの先端面とが交差する部分に、該空気流通溝の底面よりも軸心側で、該空気流通溝と該キャップよりも先方側の空間とを連通する空気流通補助通路を有する。
【００１０】
上記形態は、以上説明したように構成されているので、以下に記載されるような作用効果を奏する。
第一の形態によれば、仕切壁が軸筒に対し軸方向へ移動自在な構造であるため、当該両頭中綿式筆記具の組立て作業の際、仕切壁を軸筒内へ挿入する作業が容易である。
しかも、軸筒内に挿入された仕切壁は、二つの中綿に挟まれることで位置決めされるため、特別な専用治具等を用いた位置決め作業を要さない。
よって、軸方向に並ぶ二つの中綿を仕切壁により仕切った構造を有する上で、組立て性に優れた両頭中綿式筆記具を提供することができる。
【００１１】
更に、第二の形態によれば、前軸または後軸に、一方の中綿の一端側を嵌合し、その他端側に、略有底筒状の仕切壁を嵌合させれば、前軸または後軸と、中綿と、仕切壁とが一体的なアッセンブリとなる。したがって、その後の作業は、前記アッセンブリを、他方の中綿を挿入した後軸または前軸に接続すればよい。
よって、一層組立て性に優れた両頭中綿式筆記具を提供することができる。
【００１２】
更に、第三の形態によれば、筆記部毎に独立した各中綿に顔料成分を含むインクを含浸させるようにしているため、中綿内のインク成分の偏りに起因して、筆記線の濃淡や掠れ等の筆記不良が発生するのを防ぐことができる。
すなわち、仮に、一本の中綿に対しその両端側に筆記部を備えた構成とした場合には、上向き保管時に、中綿内においてインクの顔料成分が筆記中の筆記部と逆側へ沈降し集まるため、筆記の際に筆記線が薄くなる。また、逆に、下向き保管時には中綿内においてインクの顔料成分が筆記中の筆記部側へ沈降し集まるため、筆記の際に、筆記線が濃くなったり、集まった顔料成分によりインクの流れが阻害されて筆記掠れを生じたり等し易い。
しかしながら、本発明によれば、筆記部毎に独立して中綿を備えることで、各中綿の長さを短くしているため、前記のような顔料成分の沈降による不具合を防ぐことができる。
【００１３】
また、第四の形態によれば、万が一、幼児等がキャップを飲み込んでしまい、該キャップが幼児等の気道に引っ掛かったとしても、空気流通溝によって空気の流通を確保し、幼児等が窒息してしまうのを防ぐことができる。しかも、仮に空気流通溝の端部が幼児等の口内壁に当接したとしても、空気流通補助通路により通気性を確保することができ、安全性に優れている。
【００１４】
以下、本実施の形態における特に好ましい具体例を図面に基づいて説明する。
この両頭中綿式筆記具Ａは、前軸１１と後軸１２とからなる軸筒１０と、該軸筒１０の一端と他端との各々に設けられた筆記部２１，２２と、該軸筒１０内で軸方向へ配設された二つの中綿３１，３２と、これら中綿の間を仕切る仕切壁４０と、一端と他端の前記筆記部２１，２２をそれぞれ覆うとともに上記軸筒に対し着脱可能なキャップ５１，５２とを備え、各中綿３１（又は３２）に含浸されたインクを対応する筆記部２１（又は２２）へ導くように構成されている。
【００１５】
軸筒１０は、前軸１１と、該前軸１１よりも長い後軸１２とを軸方向に嵌合接続することで、略長尺筒状に構成される。
前軸１１は、その先端側の縮径部分の内周面に、略筒状のチップカバー１１ａを介して、一方の筆記部２１を挿通させている。
この前軸１１における前記縮径部分よりも後軸１２側の内周面には、一方の中綿３１を軸筒求心方向へ押圧するリブ１１ｂが、周方向へわたって所定間隔置きに複数配設されている。
各リブ１１ｂは、中綿３１の一端側を部分的に押圧するように軸方向へ延設され、該リブ１１ｂの延設方向の端部は、中綿３１を挿入させ易いようにＲ面取り状に形成されている。
【００１６】
そして、前記前軸１１は、その後方側（図１におけるキャップ５２側）から一方の中綿３１を挿入させ、該中綿３１を前記リブ１１ｂに嵌合させた状態で、該中綿３１の後端側を後方へ突出させている。この中綿３１の突出量は、後述する仕切壁４０に挿入可能なように、適宜に設定されている。
【００１７】
また、後軸１２は、その先端側（図１におけるキャップ５２側）の縮径部分の内周面に、略筒状のチップカバー１２ａを介して、他方の筆記部２２を挿通させている。
この後軸１２における前記縮径部分よりも前軸１１側（図１におけるキャップ５１側）の内周面には、他方の中綿３２を軸筒求心方向へ押圧するリブ１２ｂが、周方向へわたって所定間隔置きに複数配設されている。
各リブ１２ｂは、上記前軸１１のリブ１１ｂと略同様に、中綿３２の一端側を部分的に押圧するように軸方向へ延設され、該リブ１２ｂの延設方向の端部は、中綿３２を挿入させ易いようにＲ面取り状に形成されている。
【００１８】
また、筆記部２１，２２の各々は、中綿３１（又は３２）に含浸されたインクを毛細管力によって先端へ導く構成であればよく、例えば、多孔質樹脂からなる略砲弾状、あるいは多数の合成繊維を収束してなる略砲弾状に形成される。
そして、一方の筆記部２１は、他方の筆記部２２よりも外径の大きい太書き用の筆記部であり、その基端側を、前軸１１の先端側内部に挿通させて、中綿３１内に圧入させている。
また、他方の筆記部２２は、前記筆記部２１よりも外径の小さい細書き用の筆記部であり、前記筆記部２１と略同様に、その基端側を、後軸１２の先端側内部に挿通させて、中綿３２内に圧入させている。
【００１９】
また、中綿３２，３３は、多数の合成繊維を合成樹脂製の筒体内に収納し、その内部にインクを含浸させることで構成されている。
この中綿３２，３３内に含浸されたインクには、顔料成分を含むインクが用いられている。
そして、一方の中綿３２と他方の中綿３３は、製造性を良好にするために、略同一長さに形成され、本実施の形態の好ましい一例によれば、同一構成の部品を用いるようにしている。
【００２０】
なお、本実施の形態によれば、一端側を太書き用の筆記部２１にするとともに他端側を細書き用の筆記部２２にした両頭中綿式筆記具Ａを構成しているが、中綿３２と中綿３３とに異なる色のインクを含浸させることで、２色の両頭中綿式筆記具を構成することも可能である。
【００２１】
そして、上記構成の中綿３１，３２間には、これら中綿３１，３２によって挟まれるようにして仕切壁４０が配設されている。
この仕切壁４０は、筒部４１と、該筒部４１の一端側の壁部４２とからなる略有底筒状に形成されている。
【００２２】
筒部４１は、後軸１２の内径よりも小さい外径であって、中綿３１を挿入可能な内径に形成され、その内周面には、中綿３１の外周面を押圧するリブ４１ａが、周方向にわたって所定間隔置きに複数配設されている。
各リブ４１ａは、中綿３１の一端側を部分的に押圧するように軸方向へ延設され、該リブ１１ｂの延設方向の端部は、中綿３１を挿入させ易いようにＲ面取り状に形成されている。
【００２３】
また、壁部４２は、後軸１２の内周面よりも小さく且つ中綿３１の外径よりも大きい径の略円盤状を呈し、前記筒部４１と一体成形されている。
壁部４２の中綿３２側の端面には、二本の略平行な通気溝４２ａ，４２ａ（図２及び３参照）が形成されている。
各通気溝４２ａは、壁部４２の径方向へ連続するように設けられ、中綿３２の周囲の空間と中綿３２内とを連通させている。したがって、この通気溝４２ａによれば、中綿３２内のインクが消費されるのに伴って、中綿３２周囲の空気が中綿３２内へ導入されることになる。
また、壁部４２における中綿３２側の端面の周囲には、仕切壁４０を後軸１２へ挿入する作業を容易にするために、Ｃ面取り状もしくはＲ面取り状の傾斜部４２ｃが形成されている。
【００２４】
また、同壁部４２の中綿３１側の端面には、一本の通気溝４２ｂ（図２参照）が形成されている。
この通気溝４２ｂは、上記通気溝４２ａと略同様に構成され、中綿３１内のインクが消費されるのに伴って、中綿３１周囲の空気を中綿３１内へ導入する。
【００２５】
また、キャップ５１は、太書き用の筆記部２１を覆うとともに前軸１１の先端側部分に対し着脱可能に嵌合された略有底筒状の部材であり、その外周面には、衣服等に対する装着を可能にするクリップ部５１ａが形成されている。
【００２６】
また、キャップ５２は、細書き用の筆記部２２を覆うとともに後軸１２の先端側部分に対し着脱可能に嵌合された略有底筒状の部材である（図５参照）。
このキャップ５２は、その外周に軸方向へ連通して先方へ貫通する複数の空気流通溝５２ａを有する。これら空気流通溝５２ａは、キャップ５２が、万が一、幼児等によって飲み込まれて、幼児等の気道に引っ掛かった場合に、空気の流通を確保して、幼児等が窒息してしまうのを防ぐためのものである。
【００２７】
なお、上記キャップ５２は、より安全性を向上するために、図６（ａ）に示すキャップ５２’や、図６（ｂ）に示すキャップ５２”に置換してもよい。
これらキャップ５２’，５２”の各々は、上記キャップ５２に対し、該空気流通溝５２ａの底面と該キャップ５２’（又は５２”）の先端面とが交差する部分に、空気流通溝５２ａの底面よりも軸心側で、該空気流通溝５２ａと該キャップ５２’（又は５２”）よりも先方側（図６における右側）の空間とを連通する空気流通補助通路５２ａ１’（又は５２ａ１”）を具備した構成とされる。
【００２８】
より詳細に説明すれば、キャップ５２’は、各空気流通溝５２ａの底面と該キャップ５２’の先端面とが交差する部分を、Ｃ面取り状またまＲ面取り状に加工することで、空気流通補助通路５２ａ１’を確保している（図６（ａ）参照）。
この構成によれば、仮に、該キャップ５２’が幼児等に誤飲され、空気流通溝５２ａの先端側が幼児等の喉面に当接したとしても、同空気流通溝５２ａの底面よりも軸心側で、該空気流通溝５２ａとキャップ５２’よりも先方側の空間とが空気流通補助通路５２ａ１’により連通されるため、空気の流通が確保され、誤飲した幼児等の窒息を防ぐことができる。
【００２９】
また、キャップ５２”は、その先端面の略中央に凹部５２ｂを備え、該凹部５２ｂと、各空気流通溝５２ａの底面とを、空気流通補助通路５２ａ１”によって連通している（図６（ｂ）参照）。
よって、この構成においても、仮に、該キャップ５２”が幼児等に誤飲され、空気流通溝５２ａの先端側が幼児等の喉面に当接したとしても、同空気流通溝５２ａの底面よりも軸心側で、該空気流通溝５２ａとキャップ５２”よりも先方側の空間とが空気流通補助通路５２ａ１”により連通されるため、空気の流通が確保され、誤飲した幼児等の窒息を防ぐことができる。
【００３０】
次に、上記構成の両頭中綿式筆記具Ａについて、その組立て手順の一例を詳細に説明する。
先ず、後軸１２内に中綿３２が挿入され、後軸１２内の複数のリブ１２ｂによって中綿３２の先端側が保持される（図４（ａ）参照）。
【００３１】
また、前軸１１内には中綿３１が挿入され、前軸１１内の複数のリブ１１ｂによって中綿３１の先端側が保持され、更に、中綿３１の後端側に仕切壁４０の筒部４１が環状に装着される。該仕切壁４０は、その内周面の複数のリブ４１ａによって中綿３１後端側を押圧するため、リブ４１ａに対し不動になる（図４（ｂ）参照）。
【００３２】
そして、中綿３１及び仕切壁４０を備えた前軸１１と、中綿３２を備ええた後軸１２とが接続される。この際、中綿３１及び仕切壁４０が後軸１２内に挿入されるとともに、前軸１１の後端側が後軸１２の内周面に嵌合される（図４（ｃ）参照）。
前記過程において、仕切壁４０は、後軸１２内周面との間に若干の隙間を有するため、後軸１２に対し移動自在な状態で、スムーズに後軸１２内に挿入され、双方の中綿３１，３２に挟まれることで、前軸１１及び後軸１２内における軸方向の略中央に、位置決めされることになる（図１に示す状態になる）。
【００３３】
而して、上記構成および組立て手順によれば、仕切壁４０の位置決めを、治具等を用いることなく容易に行うことができる。
その上、中綿３２を備えた後軸１２と、中綿３１及び仕切壁４０を備えた前軸１１とを、それぞれアッセンブリ化して予め多数備蓄しておき、これら二つのアッセンブリを軸方向に接続すればよいので、その作業性が良好である。
【００３４】
なお、上述した手順の内、後軸１２に対し中綿３２を組付ける作業（図４（ａ）参照）と、前軸１１に対し中綿３１及び仕切壁４０を組付ける作業（図４（ｂ）参照）とは、何れが先であっても構わない。
また、筆記部２１，２２や、キャップ５１，５２等は、上記した作業の前に、対応する前軸１１（又は後軸１２）に装着される。
【図面の簡単な説明】
【００３５】
【図１】本発明に係わる両頭中綿式筆記具の一例を示す縦断面図である。
【図２】仕切壁の一例を示す拡大縦断面図である。
【図３】仕切壁の右側面図である。
【図４】同両頭中綿式筆記具の組立て手順を示す断面図であり、（ａ）は一方の中綿を後軸に挿入している状態を示し、（ｂ）は他方の中綿を前軸に挿入し該中綿の後端に仕切壁を嵌合させている状態を示し、（ｃ）は、アッセンブリ化された前軸側の部材と後軸側の部材とを接続しようとしている状態を示す。
【図５】同両頭中綿式筆記具における細書き側のキャップを示す半断面図である。
【図６】キャップの他例を（ａ）と（ｂ）の各々に示す半断面図である。
【符号の説明】
【００３６】
Ａ：両頭中綿式筆記具
１０：軸筒
１１：前軸
１２：後軸
２１，２２：筆記部
３１，３２：中綿
４０：仕切壁
５２，５２’，５２”：キャップ
５２ａ：空気流通溝
５２ａ１’，５２ａ１”：空気流通補助通路
【図１】
0004768337.tif 000002
【図２】
0004768337.tif 000003
【図３】
0004768337.tif 000004
【図４】
0004768337.tif 000005
【図５】
0004768337.tif 000006
【図６】
0004768337.tif 000007